(57)【要約】【課題】  ユーザがディスプレイ装置で処理可能な解像度を選択する際、その操作性を向上させることのできる画像再生装置を提供する。【解決手段】  画像再生装置は、入力された画像データの解像度を設定変更可能な操作表示部１５と、接続されるディスプレイ装置２に画像データを出力するＨＤＭＩ変換部１３と、外部から入力される画像データにおける変換可能な解像度の種類を記憶するメモリ１６と、ディスプレイ装置２の処理可能な解像度の種類を読み出し、メモリ１６によって記憶された解像度の種類と、読み出された解像度の種類とを照合し、一致する解像度の種類のみを案内表示するシステム制御部１４とを備える。【選択図】  図１
2005341190.tif 000002
【特許請求の範囲】
【請求項１】
入力された画像データの解像度を設定変更可能な設定入力手段と、接続されるディスプレイ装置に前記画像データを出力する出力手段とを備える画像再生装置であって、
外部から入力される画像データにおける変換可能な解像度の種類を記憶する記憶手段と、
前記ディスプレイ装置で処理可能な解像度の種類を読み出す読出手段と、
前記記憶手段によって記憶された解像度の種類と、前記読出手段によって読み出された解像度の種類とを照合する照合手段と、
前記照合手段による照合結果に基づいて、一致する解像度の種類のみを案内表示する案内表示手段と、
を備えることを特徴とする、画像再生装置。
【請求項２】
入力される画像データの解像度を変換する解像度変換手段と、接続されるディスプレイ装置に画像データを出力する出力手段とを有する画像再生装置であって、
外部から入力される画像データの解像度を判別する判別手段と、
外部から入力される画像データにおける変換可能な解像度の種類を記憶する記憶手段と、
前記ディスプレイ装置で処理可能な解像度の種類を読み出す読出手段と、
前記記憶手段によって記憶された解像度の種類と、前記読出手段によって読み出された解像度の種類とを照合する照合手段と、
前記判別手段によって判別された解像度が、前記照合手段によって求められた一致する解像度の種類に含まれている場合、前記解像度変換手段による解像度の変換を禁止する禁止手段と、
を備えることを特徴とする、画像再生装置。
【請求項３】
前記判別手段によって判別された解像度が、前記照合手段によって求められた一致する解像度の種類に含まれていない場合、予め定める優先順位に基づいて他の解像度を選択する選択手段を備え、
上記解像度変換手段は、前記選択手段によって選択された他の解像度に基づいて、前記入力される画像データの解像度を変換する、請求項２に記載の画像再生装置。
【発明の詳細な説明】
【技術分野】
【０００１】
本願発明は、例えば、ＤＶＤプレイヤ等の画像再生装置に関するものである。
【背景技術】
【０００２】
従来、例えばＨＤＭＩ（High Definition Multimedia Interface）規格に準拠する、いわゆるＨＤＭＩ出力機器（例えばＤＶＤ（digital versatile disc）プレイヤ）においては、それに接続される、上記ＨＤＭＩ規格に準拠する、いわゆるＨＤＭＩリピータ機器やＨＤＭＩシンク機器（例えばディスプレイ装置）に対応して、複数の解像度がユーザの操作に基づいて設定可能とされているものがある。
【０００３】
ディスプレイ装置は、入力される画像の解像度が予め一つのみ決められているもの、あるいは複数の解像度が処理可能なもの等があり、通常、ディスプレイ装置ごとに処理可能な画像の解像度が異なっている。したがって、ＤＶＤプレイヤにおいては、それらのディスプレイ装置の解像度に対応するため、複数の解像度が設定可能とされている。
【０００４】
この解像度の設定は、通常、ユーザがそのＤＶＤプレイヤのセットアップメニューの解像度変更設定画面を表示させ、その解像度変更設定画面中に表示される複数の解像度から任意の解像度を選択することによりなされる。ＤＶＤプレイヤでは、この解像度変更設定画面中に表示される解像度は、接続されるディスプレイ装置が特定できない場合もあるため、ディスプレイ装置で処理可能と想定され汎用的に用いられている解像度が予め設定されている。
【０００５】
一方、ディスプレイ装置においては、入力される画像データに対して変換可能な解像度が予め設定されており、ＥＤＩＤ（Extended Display Identification Data）情報として内部に設けられたＲＯＭ等に記憶されている（例えば、特許文献１参照）。
【０００６】
【特許文献１】特開平１１−１５４２５号公報
【発明の開示】
【発明が解決しようとする課題】
【０００７】
ＤＶＤプレイヤでは、ディスプレイ装置が接続されたとき、ディスプレイ装置のＲＯＭに記憶されているＥＤＩＤ情報（解像度情報を含む）を読み出すのであるが、従来のＤＶＤプレイヤでは、読み取ったＥＤＩＤ情報を、解像度変更設定画面中に表示される解像度の種類として表示するものではない。そのため、上記ＥＤＩＤ情報に、ＤＶＤプレイヤにおいてユーザによって設定可能な解像度が含まれていない場合にも、ユーザは、その含まれていない解像度を選択することができ、解像度の選択の操作性が良好とはいえなかった。
【０００８】
すなわち、図８に示すように、ＤＶＤプレイヤにおいて設定可能な解像度（Ａ欄参照）が、ａ，ｂ，ｃ，ｄ，ｅ（ここで、ａ，ｂ，ｃ，ｄ，ｅは、縦Ｘピクセル及び横Ｙピクセルの解像度をそれぞれ示すものとする。）であり、ＥＤＩＤ情報に含まれる解像度（Ｂ欄参照）が、ａ，ｂ，ｃである場合、ＤＶＤプレイヤにおいて例えば解像度ｄ又はｅが設定されると、解像度ｄ又はｅは、ディスプレイ装置で対応されていないため、ディスプレイ装置では画像が表示されない、あるいは画像の乱れた表示がされることになる。
【０００９】
そのため、ディスプレイ装置から読み出され、セットアップメニューの解像度変更設定画面に表示された解像度ｄ，ｅは意味をもたないことになるが、解像度変更設定画面にはそれらが表示されるため、ユーザが誤ってそれらを選択した場合、再度設定し直さなければならないといった手間が生じていた。
【００１０】
本願発明は、上記した事情のもとで考え出されたものであって、ユーザがディスプレイ装置で処理可能な解像度を選択する際、その操作性を向上させることのできる画像再生装置を提供することを、その課題とする。
【課題を解決するための手段】
【００１１】
上記の課題を解決するため、本願発明では、次の技術的手段を講じている。
【００１２】
本願発明によって提供される画像再生装置は、入力された画像データの解像度を設定変更可能な設定入力手段と、接続されるディスプレイ装置に前記画像データを出力する出力手段とを備える画像再生装置であって、外部から入力される画像データにおける変換可能な解像度の種類を記憶する記憶手段と、前記ディスプレイ装置の処理可能な解像度の種類を読み出す読出手段と、前記記憶手段によって記憶された解像度の種類と、前記読出手段によって読み出された解像度の種類とを照合する照合手段と、前記照合手段による照合結果に基づいて、一致する解像度の種類のみを案内表示する案内表示手段と、を備えることを特徴としている（請求項１）。
【００１３】
この発明によれば、記憶手段によって記憶された解像度の種類と、読出手段によって読み出された解像度の種類とが照合手段によって照合され、照合された結果、一致する解像度の種類のみが案内表示されるので、ユーザは、ディスプレイ装置が処理可能な解像度であって、かつ外部から入力される画像データにおける変換可能な解像度を選択することができる。そのため、ユーザが誤ってディスプレイ装置において処理できない解像度を選択してしまうことを防止することができる。したがって、ユーザは、再度解像度を設定し直さなければならないといった手間が省け、その操作性を向上させることができる。
【００１４】
好ましい実施の形態によれば、画像再生装置は、入力される画像データの解像度を変換する解像度変換手段と、接続されるディスプレイ装置に画像データを出力する出力手段とを有する画像再生装置であって、外部から入力される画像データの解像度を判別する判別手段と、外部から入力される画像データにおける変換可能な解像度の種類を記憶する記憶手段と、前記ディスプレイ装置で処理可能な解像度の種類を読み出す読出手段と、前記記憶手段によって記憶された解像度の種類と、前記読出手段によって読み出された解像度の種類とを照合する照合手段と、前記判別手段によって判別された解像度が、前記照合手段によって求められた一致する解像度の種類に含まれている場合、前記解像度変換手段による解像度の変換を禁止する禁止手段と、を備えるものでもよい（請求項２）。
【００１５】
他の好ましい実施の形態によれば、前記判別手段によって判別された解像度が、前記照合手段によって求められた一致する解像度の種類に含まれていない場合、予め定める優先順位に基づいて他の解像度を選択する選択手段を備え、上記解像度変換手段は、前記選択手段によって選択された他の解像度に基づいて、前記入力される画像データの解像度を変換するとよい（請求項３）。
【００１６】
本願発明のその他の特徴及び利点は、添付図面を参照して以下に行う詳細な説明によって、より明らかとなろう。
【発明を実施するための最良の形態】
【００１７】
以下、本願発明の好ましい実施の形態を、添付図面を参照して具体的に説明する。
【００１８】
図１は、本願発明の画像再生装置としての例えばＤＶＤプレイヤとそれに接続されるディスプレイ装置との構成を示すブロック図である。このＤＶＤプレイヤは、ＨＤＭＩ規格に準拠したいわゆるＨＤＭＩ出力機器であって、主にＤＶＤを再生するためのものであるが、図示しない外部入力端子から入力されるアナログのビデオ信号をも表示可能とされている。なお、図１には、画像信号に関連する構成のみを示している。
【００１９】
ここで、このＤＶＤプレイヤ１に接続されるディスプレイ装置２としては、例えばＨＤＭＩ規格に準拠したいわゆるＨＤＭＩシンク機器が用いられ、ディスプレイ装置２は、それを制御するためのＨＤＭＩ制御部３と、ＥＤＩＤ（Extended Display Identification Data）情報を格納するメモリ４とを有している。メモリ４には、ディスプレイ装置２で処理可能な画像データの解像度の種類や同期周波数等の情報が記憶されている。ＨＤＭＩ制御部３は、ＨＤＣＰ（High-bandwidth Digital Content Protection）のための処理を行う機能を有している。
【００２０】
上記ＤＶＤプレイヤ１は、解像度判別部１１と、解像度変換部１２と、ＨＤＭＩ変換部１３と、システム制御部１４と、操作表示部１５と、メモリ１６と、コネクタ部１７とによって概略構成されている。
【００２１】
解像度判別部１１は、再生されるＤＶＤの画像データの解像度又は図示しない外部入力端子から入力されるアナログの画像データの解像度を判別するものである。解像度判別部１１によって判別されたＤＶＤ等の画像データは、解像度変換部１２に出力される。
【００２２】
解像度変換部１２は、解像度判別部１１によって判別されたＤＶＤ等の画像データの解像度をシステム制御部１４の制御指令により変換するものである。解像度変換部１２によって解像度が変換された画像データは、ＨＤＭＩ変換部１３に出力される。
【００２３】
ＨＤＭＩ変換部１３は、解像度変換部１２によって解像度が変換された画像データをシステム制御部１４の制御指令によりＨＤＭＩ規格のデータに変換するためのものである。ＨＤＭＩ変換部１３によって変換されたＨＤＭＩ規格のデータは、コネクタ部１７に出力される。
【００２４】
コネクタ部１７は、ディスプレイ装置２に接続されたＨＤＭＩケーブル２０を接合するためのものである。ＨＤＭＩ変換部１３から出力された画像データは、コネクタ部１７を介してディスプレイ装置２に出力される。
【００２５】
システム制御部１４は、図示しないマイクロコンピュータ等からなり、解像度判別部１１、解像度変換部１２、ＨＤＭＩ変換部１３、及び操作表示部１５等を統括的に制御するものである。システム制御部１４には、マンマシンインターフェースとしての操作表示部１５が接続されており、システム制御部１４は、この操作表示部１５からの操作入力や各部からの制御信号及びデータに基づいて所定のデータ処理を行う。
【００２６】
システム制御部１４は、操作表示部１５に、各種の初期設定を行うためのセットアップメニューを表示させる機能を有しており、セットアップメニューには、画像データの解像度をユーザによる操作によって設定変更可能な解像度変更設定画面が含まれている。例えばユーザによってこの解像度変更設定画面を通じて解像度の変更操作が行われると、システム制御部１４は、解像度変換部１２に対して選択入力された解像度に変換すべき制御信号を解像度変換部１２に送る。解像度変換部１２では、この制御信号に応じて画像データの解像度を変換する。なお、システム制御部１４は、デフォルト値として予め定められた解像度の値を、ユーザによって変更されない限り、常時認識している。
【００２７】
システム制御部１４には、例えばＲＯＭからなるメモリ１６が接続されており、メモリ１６には、解像度変換部１２において変換可能であってコネクタ部１７からディスプレイ装置２に対して出力可能な解像度の種類が予め記憶されている。すなわち、このＤＶＤプレイヤ１に接続されるディスプレイ装置２では、処理可能な解像度が予め設定されているのであるが、個々のディスプレイ装置２において処理可能な解像度が異なっていることがあるので、ＤＶＤプレイヤ１のメモリ１６には、ディスプレイ装置２が処理可能と想定され汎用的に用いられる解像度の種類が予め記憶されている。
【００２８】
システム制御部１４には、ＨＤＭＩ規格に準拠したデータ信号線１８及びクロック信号線１９（「ＤＤＣライン」と呼称される。）がコネクタ部１７との間で設けられ、コネクタ部１７は、ＨＤＭＩケーブル２０を介してディスプレイ装置２と接続される。
【００２９】
システム制御部１４は、接続されたディスプレイ装置２のメモリ４に記憶されている、ディスプレイ装置２において出力可能な解像度の種類を上記データ信号線１８、クロック信号線１９、及びＨＤＭＩケーブル２０を介して読み出して、メモリ１６に記憶されている出力可能な解像度の種類と照合させる機能を有している。そして、システム制御部１４は、その照合の結果、メモリ１６に記憶されている解像度と一致しない解像度がある場合、それをセットアップメニューの解像度変更設定画面に表示させることを禁止する機能を有する。
【００３０】
より具体的には、図２に示すように、ＤＶＤプレイヤ１のメモリ１６に記憶されている、出力可能な解像度の種類（Ａ欄参照）をａ，ｂ，ｃとし、ディスプレイ装置２のメモリ４に記憶され、システム制御部１４によって読み出される、ディスプレイ装置２が処理可能な解像度の種類（Ｂ欄参照）をａ，ｂ，ｄ，ｅとすると、解像度ｃは、ディスプレイ装置２が処理可能な解像度ではないため、セットアップメニューの解像度変更設定画面に、ユーザによって変更可能な解像度として表示することを禁止する。この場合、セットアップメニューの解像度変更設定画面には、両者において取扱い処理が可能な解像度ａ，ｂのみをユーザによって変更可能な解像度として表示する。なお、解像度ｄ，ｅは、ＤＶＤプレイヤ１が出力可能な解像度ではないため、セットアップメニューの解像度変更設定画面には当初から表示されないものである。
【００３１】
このようにすれば、ユーザがディスプレイ装置２で処理することができない解像度ｃを誤って選択することを防止することができ、再度解像度を選択し直す操作を行うことが回避できるため、ユーザによる操作性の向上を図ることができる。
【００３２】
次に、ＤＶＤプレイヤ１における作用を、図３に示すフローチャート及び図４に示す模式図を参照して説明する。
【００３３】
まず、ＤＶＤプレイヤ１にディスプレイ装置２がＨＤＭＩケーブル２０を介して接続されると（Ｓ１：ＹＥＳ）、ＤＶＤプレイヤ１のシステム制御部１４によって、ディスプレイ装置２のメモリ４に記憶されているＥＤＩＤ情報が読み出される（Ｓ２）。
【００３４】
次いで、システム制御部１４によって読み出されたＥＤＩＤ情報の中からディスプレイ装置２が処理可能な解像度の種類（図２のＢ欄参照）が抽出されるとともに、システム制御部１４によって自己のメモリ１６に記憶されている、ディスプレイ装置２に出力可能な解像度の種類（図２のＡ欄参照）が読み出される。
【００３５】
そして、システム制御部１４によってこれらの解像度が照合され（Ｓ３）、図４に示すように、それぞれの解像度が「ＤＶＤプレイヤ１で出力可能であってディスプレイ装置２で処理できない解像度のグループ（領域Ａ1参照）」、「ＤＶＤプレイヤ１で出力可能であり、かつディスプレイ装置２で処理可能な解像度（領域Ａ2参照）」、及び「ＤＶＤプレイヤ１で出力不可能であってディスプレイ装置２で処理可能な解像度（領域Ａ3参照）」に分類されて認識される（Ｓ４）。図４によると、領域Ａ1には解像度ｃが含まれ、領域Ａ2には解像度ａ，ｂが含まれ、領域Ａ3には解像度ｄ，ｅが含まれている。
【００３６】
次に、ユーザによる操作表示部１５における操作入力に基づいて、システム制御部４によって、セットアップメニューの解像度設定変更画面を表示させる旨の操作があるか否かが判別され（Ｓ５）、解像度設定変更画面を表示させる旨の操作があると判別されると（Ｓ５：ＹＥＳ）、システム制御部１４によって操作表示部１５にセットアップメニューの解像度設定変更画面が表示される（Ｓ６）。ユーザは、この選択画面によってディスプレイ装置２が処理可能な解像度を選択することができるのであるが、この解像度設定変更画面には、上述した照合の結果、「ＤＶＤプレイヤ１で出力可能であり、ディスプレイ装置２で処理可能な解像度のグループ」に含まれる、領域Ａ2の解像度ａ，ｂのみが表示される。
【００３７】
ユーザによって「ＤＶＤプレイヤ１で出力可能であり、ディスプレイ装置２で処理可能な解像度のグループ」のみの一覧から任意な解像度が選択変更されたか否かが、システム制御部４によって判別され（Ｓ７）、その旨の操作信号がシステム制御部１４に送られて、システム制御部４によって選択変更の操作入力があったと判別されると（Ｓ７：ＹＥＳ）、システム制御部４によって、変更後の解像度の値が認識され（Ｓ８）、その認識された解像度で変換を行う旨の制御信号がシステム制御部１４から解像度変換部１２に送られる。
【００３８】
なお、ステップＳ７においてユーザによって解像度の選択変更操作がないと判別された場合（Ｓ７：ＮＯ）、デフォルト値としての解像度で変換を行う旨の制御信号がシステム制御部１４から解像度変換部１４に送られる。
【００３９】
解像度変換部１２では、システム制御部１４から送られた解像度に応じて、解像度判別部１１を通過した画像データの解像度の変換処理が行われる（Ｓ９）。そして、変換された解像度を有する画像データは、ＨＤＭＩ変換部１３に送られる。
【００４０】
ＨＤＭＩ変換部１３では、システム制御部１４からの制御信号により、解像度変換部１２から送られた、変換後の解像度を有する画像データが、ＨＤＭＩ規格に応じた画像データに変換され（Ｓ１０）、コネクタ部１７を介して、ディスプレイ装置２に送られる。
【００４１】
ディスプレイ装置２では、ＤＶＤプレイヤ１から送られた画像データに基づいて、ＤＶＤプレイヤ１の解像度変換部１２において変換された解像度が処理されてその表示画面に画像が表示される（Ｓ１１）。
【００４２】
また、ステップＳ５において、解像度設定変更画面を表示させる旨の操作がないと判別された場合（Ｓ５：ＮＯ）、システム制御部１４によって認識されているデフォルト値としての解像度の値が「ＤＶＤプレイヤ１で出力可能であり、ディスプレイ装置２で処理可能な解像度のグループ（領域Ａ2）」に含まれているか否かが判別され（Ｓ１２）、デフォルト値としての解像度の値が領域Ａ2に含まれている場合（Ｓ１２：ＹＥＳ）、ステップＳ９に進み、その解像度にするための変換処理が行われる。
【００４３】
一方、ステップＳ１２において、デフォルト値としての解像度の値が、システム制御部１４における照合処理の結果、領域Ａ2に含まれていない場合（Ｓ１２：ＮＯ）、システム制御部１４によって領域Ａ2に含まれる解像度の中から任意の解像度が選択される（Ｓ１３）。この場合、領域Ａ2に含まれる複数の解像度には、予め優先順位（例えば解像度の低い方から優先順位が高くなるような順位）が設定されており、その優先順位に応じて解像度が選択される。そして、ステップＳ９に進み、その解像度にするための変換処理が行われる。
【００４４】
このように、セットアップメニューの解像度設定変更画面には、ディスプレイ装置２で処理することができない解像度は、表示されないので、ユーザは、誤ってディスプレイ装置２で処理することができない解像度を選択する余地がない。したがって、再度、解像度の変更設定を行う必要がなく、操作性が向上される。
【００４５】
ところで、ＤＶＤプレイヤ１においては、上記したように解像度変換部１２が設けられているが、画像データは、この解像度変換部１２において画像変換処理を行われると、画像自体に劣化が生じることがある。画像の劣化を抑制するためには、解像度変換部１２における画像変換処理を行わないことが望ましい。
【００４６】
しかしながら、従来のＤＶＤプレイヤでは、入力された画像データは、必ず、この解像度変換部１２を通過してＨＤＭＩ変換部１３に送られるため、少なからず画像の劣化が生じる。例えば、ユーザの操作表示部１５における操作入力によって、ＤＶＤプレイヤ１から出力される画像データの解像度が「１２８０×７２０」ピクセルに設定された場合、外部入力端子から入力されたビデオ信号の解像度が、設定された解像度と同じ「１２８０×７２０」ピクセルであっても、画像データは、一旦、解像度変換部１２を通過することにより、解像度変換処理が行われるため、画像劣化が生じる。
【００４７】
また、ディスプレイ装置２に例えば液晶表示装置やプラズマディスプレイ装置が用いられる場合、それらは表示可能なドット数が予め設定されているため、そのドット数と同じ解像度の画像データがＤＶＤプレイヤ１から送られたときには、それをそのまま表示することができる。ところが、そのドット数と異なる解像度を有する画像データがＤＶＤプレイヤ１から送られたときには、その解像度から表示可能なドット数の解像度に変換しなければならない。したがって、ディスプレイ装置２においても、画像の劣化が生じ、ＤＶＤプレイヤ１にこのようなディスプレイ装置２が接続された場合には、二度にわたって画像劣化が生じることになり、画像品質の上で問題があった。
【００４８】
そこで、この実施形態では、解像度変換の必要がない場合には、解像度変換処理の実行を回避することにより、すなわち、画像データが解像度変換部１２を通過しないようにすることにより、画像劣化を抑制するようにしている。具体的には、図５に示すように、解像度判別部１１とＨＤＭＩ変換部１３との間に、解像度変換部１２を迂回するバイパス経路２２を有するバイパス部２１が設けられている。
【００４９】
より詳細には、バイパス部２１には、第１及び第２スイッチ２３，２４が設けられている。第１スイッチ２３は、解像度判別部１１と解像度変換部１２との間に設けられており、第１スイッチ２３の入力は、解像度判別部１１に接続され、第１スイッチ２３の一方の出力は、解像度変換部１２に接続され、第１スイッチ２３の他方の出力は、バイパス経路２２に接続されている。
【００５０】
また、第２スイッチ２４は、解像度変換部１２とＨＤＭＩ変換部１３との間に設けられており、第１スイッチ２３の一方の入力は、解像度変換部１２に接続され、第１スイッチ２３の他方の入力は、バイパス経路２２に接続され、第１スイッチ２３の出力は、ＨＤＭＩ変換部１３に接続されている。
【００５１】
第１及び第２スイッチ２３，２４は、システム制御部１４からの制御信号によってその切換動作が制御されるようになっている。また、システム制御部１４は、上述したように、接続されたディスプレイ装置２のメモリ４に記憶されている、ディスプレイ装置２において処理可能な解像度の種類を読み出して、メモリ１６に記憶されている出力可能な解像度の種類と照合させる機能を有している。そして、システム制御部１４は、解像度判別部１１において判別された外部入力端子から入力されるビデオ信号の解像度が、その照合の結果、重複する解像度に含まれる場合、バイパス部２１の第１及び第２スイッチ２３，２４を解像度判別部１１からの画像データがバイパス経路２２を経由してＨＤＭＩ変換部１３に至るように切り換える。これにより、画像データは、解像度変換部１２を迂回することになり、解像度変換処理が行われなくなる。したがって、画像劣化を防止することができる。その他の構成については、図１に示したブロック構成図の構成と略同様である。
【００５２】
上記構成における作用を、図６に示すフローチャート及び図７に示す模式図を参照して説明する。なお、ステップＳ２１〜Ｓ２４，Ｓ２８，Ｓ２９における制御は、図３のステップＳ１〜Ｓ４，Ｓ１０，Ｓ１１に示した動作と同様であるため、以下の説明では、異なるステップについて説明する。
【００５３】
ステップＳ２４において照合の結果、各領域Ａ1，Ａ2，Ａ3における解像度が認識された後、解像度判別部１１によって、入力された画像データの解像度が判別される（Ｓ２５）。そして、解像度判別部１１によって判別された画像データの解像度（例えば「α」とする。）が、図７に示すように、領域Ａ2（ＤＶＤプレイヤ１で出力可能であり、ディスプレイ装置２で処理可能な解像度のグループ）に含まれるか否かが判別される（Ｓ２６）。
【００５４】
解像度αが領域Ａ2に含まれている場合（Ｓ２６：ＹＥＳ）、システム制御部１４によってバイパス部２２の第１及び第２スイッチ２３，２４が切り換えられる（Ｓ２７）。すなわち、解像度判別部１１から出力された画像データが解像度変換部１２を介してＨＤＭＩ変換部１３に入力されていた経路を、解像度判別部１１から出力された画像データが解像度変換部１２を迂回してバイパス経路２２を通ってＨＤＭＩ変換部１３に入力される経路に切り換える。これにより、解像度判別部１１から出力された画像データは、解像度変換部１２を通過することが回避され、画質の劣化を抑制することができる。
【００５５】
解像度変換部１２を迂回してＨＤＭＩ変換部１３に入力された画像データは、ＨＤＭＩ変換部１３においてＨＤＭＩ規格に応じた画像データに変換される（Ｓ２８）。
【００５６】
一方、ステップＳ２６において、解像度αが領域Ａ2に含まれていない場合（Ｓ２６：ＮＯ）、領域Ａ2に含まれている他の解像度のうち任意の解像度が選択される（Ｓ３０）。この場合、予め解像度に優先順位（例えば解像度の低い方から優先順位が高くなるような順位）が設けられており、その優先順位に基づいて任意の解像度が選択される。その後、その選択された解像度に基づいて解像度変換部１２において解像度の変換が行われ（Ｓ３１）、変換された画像データは、ＨＤＭＩ変換部１３に出力される（Ｓ２８）。
【００５７】
このように、入力される画像データの解像度を判別し、判別された解像度αが領域Ａ2に含まれる場合には、その解像度のまま、すなわち当該画像データが解像度変換部１２における解像度変換処理が禁止されてディスプレイ装置２に出力されるので、画像品質が高い画像データをディスプレイ装置２において表示させることができる。
【００５８】
なお、図５では、バイパス部２１が概念的に理解されやすいように第１及び第２スイッチ２３，２４を用いた場合を記載しているが、バイパス部２１によるバイパス処理は、これに代えて、ソフトウェア処理によって実現されるようにしてもよい。
【００５９】
もちろん、この発明の範囲は上述した実施の形態に限定されるものではない。例えば、上記実施形態では、画像再生装置としての一例としてＤＶＤプレイヤについて説明したが、ＤＶＤプレイヤに限らず、アンプ、レシーバ等といった画像再生装置に本願発明を適用するようにしてもよい。そのため、再生されるディスクとしては、ＤＶＤに限るものではない。
【図面の簡単な説明】
【００６０】
【図１】本願発明の画像再生装置としてのＤＶＤプレイヤと、それに接続されるディスプレイ装置との構成を示すブロック図である。
【図２】ＤＶＤプレイヤが出力可能な解像度の種類と、ディスプレイ装置が処理可能な解像度の種類とを示す図である。
【図３】ＤＶＤプレイヤの作用を説明するためのフローチャートである。
【図４】複数の解像度が各領域に分類されたときの状態を示す模式図である。
【図５】変形例のＤＶＤプレイヤとそれに接続されるディスプレイ装置との構成を示すブロック図である。
【図６】変形例のＤＶＤプレイヤの作用を説明するためのフローチャートである。
【図７】解像度判別部で判別された解像度が各領域に分類されたときの状態を示す模式図である。
【図８】従来の、ＤＶＤプレイヤが出力可能な解像度の種類と、ディスプレイ装置が処理可能な解像度の種類とを示す図である。
【符号の説明】
【００６１】
１  ＤＶＤプレイヤ（画像再生装置）
２  ディスプレイ装置
４  メモリ（ディスプレイ装置の）
１１  解像度判別部
１２  解像度変換部
１３  ＨＤＭＩ変換部
１４  システム制御部
１５  操作表示部
１６  メモリ（ＤＶＤプレイヤの）
２１  バイパス部
【図１】
2005341190.tif 000003
【図２】
2005341190.tif 000004
【図３】
2005341190.tif 000005
【図４】
2005341190.tif 000006
【図５】
2005341190.tif 000007
【図６】
2005341190.tif 000008
【図７】
2005341190.tif 000009
【図８】
2005341190.tif 000010
【手続補正書】
【提出日】平成16年10月29日(2004.10.29)
【手続補正１】
【補正対象書類名】明細書
【補正対象項目名】００１８
【補正方法】変更
【補正の内容】
【００１８】
図１は、本願発明の画像再生装置としての例えばＤＶＤプレイヤとそれに接続されるディスプレイ装置との構成を示すブロック図である。このＤＶＤプレイヤ１は、ＨＤＭＩ規格に準拠したいわゆるＨＤＭＩ出力機器であって、主にＤＶＤを再生するためのものであるが、図示しない外部入力端子から入力されるアナログのビデオ信号をも表示可能とされている。なお、図１には、画像信号に関連する構成のみを示している。
【手続補正２】
【補正対象書類名】明細書
【補正対象項目名】００３５
【補正方法】変更
【補正の内容】
【００３５】
そして、システム制御部１４によってこれらの解像度が照合され（Ｓ３）、図４に示すように、それぞれの解像度が「ＤＶＤプレイヤ１で出力可能であってディスプレイ装置２で処理できない解像度のグループ（領域Ａ1参照）」、「ＤＶＤプレイヤ１で出力可能であり、かつディスプレイ装置２で処理可能な解像度のグループ（領域Ａ2参照）」、及び「ＤＶＤプレイヤ１で出力不可能であってディスプレイ装置２で処理可能な解像度のグループ（領域Ａ3参照）」に分類されて認識される（Ｓ４）。図４によると、領域Ａ1には解像度ｃが含まれ、領域Ａ2には解像度ａ，ｂが含まれ、領域Ａ3には解像度ｄ，ｅが含まれている。
【手続補正３】
【補正対象書類名】明細書
【補正対象項目名】００３７
【補正方法】変更
【補正の内容】
【００３７】
ユーザによって「ＤＶＤプレイヤ１で出力可能であり、ディスプレイ装置２で処理可能な解像度のグループ」のみの一覧から任意な解像度が設定変更されたか否かが、システム制御部４によって判別され（Ｓ７）、その旨の操作信号がシステム制御部１４に送られて、システム制御部４によって設定変更の操作入力があったと判別されると（Ｓ７：ＹＥＳ）、システム制御部４によって、変更後の解像度の値が認識され（Ｓ８）、その認識された解像度で変換を行う旨の制御信号がシステム制御部１４から解像度変換部１２に送られる。
【手続補正４】
【補正対象書類名】明細書
【補正対象項目名】００３８
【補正方法】変更
【補正の内容】
【００３８】
なお、ステップＳ７においてユーザによって解像度の設定変更操作がないと判別された場合（Ｓ７：ＮＯ）、デフォルト値としての解像度で変換を行う旨の制御信号がシステム制御部１４から解像度変換部１２に送られる。
【手続補正５】
【補正対象書類名】明細書
【補正対象項目名】００４５
【補正方法】変更
【補正の内容】
【００４５】
ところで、ＤＶＤプレイヤ１においては、上記したように解像度変換部１２が設けられているが、画像データは、この解像度変換部１２において画像変換処理が行われると、画像自体に劣化が生じることがある。画像の劣化を抑制するためには、解像度変換部１２における画像変換処理を行わないことが望ましい。
【手続補正６】
【補正対象書類名】明細書
【補正対象項目名】００５１
【補正方法】変更
【補正の内容】
【００５１】
第１及び第２スイッチ２３，２４は、システム制御部１４からの制御信号によってその切換動作が制御されるようになっている。また、システム制御部１４は、上述したように、接続されたディスプレイ装置２のメモリ４に記憶されている、ディスプレイ装置２において処理可能な解像度の種類を読み出して、メモリ１６に記憶されている出力可能な解像度の種類と照合させる機能を有している。そして、システム制御部１４は、解像度判別部１１において判別された外部入力端子から入力される画像データの解像度が、その照合の結果、重複する解像度に含まれる場合、バイパス部２１の第１及び第２スイッチ２３，２４を解像度判別部１１からの画像データがバイパス経路２２を経由してＨＤＭＩ変換部１３に至るように切り換える。これにより、画像データは、解像度変換部１２を迂回することになり、解像度変換処理が行われなくなる。したがって、画像劣化を防止することができる。その他の構成については、図１に示したブロック構成図の構成と略同様である。
【手続補正７】
【補正対象書類名】明細書
【補正対象項目名】００５４
【補正方法】変更
【補正の内容】
【００５４】
解像度αが領域Ａ2に含まれている場合（Ｓ２６：ＹＥＳ）、システム制御部１４によってバイパス部２１の第１及び第２スイッチ２３，２４が切り換えられる（Ｓ２７）。すなわち、解像度判別部１１から出力された画像データが解像度変換部１２を介してＨＤＭＩ変換部１３に入力されていた経路を、解像度判別部１１から出力された画像データが解像度変換部１２を迂回してバイパス経路２２を通ってＨＤＭＩ変換部１３に入力される経路に切り換える。これにより、解像度判別部１１から出力された画像データは、解像度変換部１２を通過することが回避され、画質の劣化を抑制することができる。